(57)【特許請求の範囲】
【請求項１】
特に、鞄又は革製品である入れ物（４０）において、
互いに近接した状態とされ得る一対のフラップ部又はウォール部（４２，４４，５０，５１，５２）であって、前記フラップ部又はウォール部の一つが、ボタン穴（４６，４８，５４，６０）を有する一対のフラップ部又はウォール部（４２，４４，５０，５１，５２）と、
前記ボタン穴（４６，４８，５４，６０）を通過するよう設計される締め具（１）であって、前記入れ物の前記フラップ部又はウォール部（４２，４４，５０，５１，５２）の他の一つに固定されるアンカー部（１０）と、前記ボタン穴（４６，４８，５４，６０）から締め具（１）が離脱することを防ぐための幅広部（１２）と、
一対のヒンジ部（２１、２２）を介して、前記アンカー部（１０）及び幅広部（１２）の各々に回転式に接続される中間接続部（１４）と、を備え、前記幅広部（１２）と前記アンカー部（１０）は、前記中間接続部（１４）に対して回転するよう構成され、その結果、前記締め具（１）は、前記幅広部（１２）と前記アンカー部（１０）とが、互いに近づき、前記中間接続部（１４）に対して向い合う側に並置されるコンパクト状態と、前記幅広部（１２）が前記中間接続部（１４）に対して実質的に平行に並ぶ拡張状態と、前記幅広部（１２）と前記アンカー部（１０）とが、互いから距離を置いて配置され、前記幅広部（１２）が、実質的に前記中間接続部１４に対し垂直方向に配置される終状態と、を担う締め具（１）と、
を備え、
前記フラップ部又はウォール部（４２，４４，５０，５１，５２）が、互いに近づくよう、前記ボタン穴（４６，４８，５４，６０）は、前記拡張状態にある前記締め具（１）の通過を許容するよう設計され、
前記ボタン穴（４６，４８，５４，６０）は、前記締め具（１）を保持するよう設計され、それゆえ、前記締め具（１）が前記終状態にある際、前記フラップ部又はウォール部（４２，４４，５０，５１，５２）が、互いに離れることを防止する、
入れ物（４０）。
【請求項２】
複数の前記締め具（１）を備え、前記締め具（１）が前記終状態にある際、各締め具（１）は、一対のフラップ部又はウォール部（４２，４４，５０，５１，５２）の各々が、互いに近接した状態を保持する、
請求項１に記載の入れ物。
【請求項３】
一対の端フラップ部又はウォール部（４２，５０）と、
中間フラップ部（４４）と、
前記中間フラップ部（４４）に備わるボタン穴（４６）を通って移動するために、端フラップ部又はウォール部（４２）に固定される前記アンカー部１０と、前記中間フラップ部（４４）に対面する前記幅広部（１２）と、を備える第一締め具（１ｒ）と、
他の端フラップ部又はウォール部（５０）に備わるボタン穴（４８）を通って移動するために、前記中間フラップ部（４４）に固定される前記アンカー部（１０）と、他の端フラップ部又はウォール部（５０）に対面する前記幅広部（１２）と、を備える第二締め具（１ｓ）と、
を備える。
請求項１又は２に記載の入れ物。
【請求項４】
前記ヒンジ部（２１、２２）の少なくとも一つが、平坦ヒンジである、
請求項１から３のいずれか一項に記載の入れ物。
【請求項５】
前記ヒンジ部（２１、２２）の双方が、平坦ヒンジである、
請求項４に記載の入れ物。
【請求項６】
前記平坦ヒンジ（２１、２２）のヒンジ軸が、互いに平行である、
請求項５に記載の入れ物。
【請求項７】
前記平坦ヒンジ（２１、２２）が、前記中間接続部（１４）と、前記アンカー部（１０）と前記幅広部（１２）との間の少なくとも一つとの間の所定の相互角度配置を保持するよう設計されるカム輪郭を有する、
請求項４に記載の入れ物。
【請求項８】
前記幅広部（１２）に対して向かい側に配置され、前記締め具（１）が前記入れ物に備わる追加的ボタン穴から離脱することを防ぐための追加的幅広部（３２）と、
一対の追加的ヒンジ部（２３、２４）を介して、前記アンカー部（１０）及び前記追加的幅広部（３２）の各々に枢着される追加的中間接続部（３４）と、
を更に備える、
請求項１から７のいずれか一項に記載の入れ物。
【請求項９】
前記追加的ヒンジ部（２３、２４）が、平坦である、
請求項８に記載の入れ物。
【発明の詳細な説明】
【技術分野】
【０００１】
本発明は、締め具を備える鞄又は革製品のような入れ物に関する。
【背景技術】
【０００２】
鞄又は革製品のような入れ物に属する二つのフラップ部（蓋部：ｆｌａｐ）又はウォール部（壁部：ｗａｌｌ）が、互いに締め続ける又は重なるよう設計された様々な型の締め具が、知られている。
【０００３】
例えば、前述のフラップ部又はウォール部が締まるよう、又はとにかく互いに接近するよう、前記フラップ部又はウォール部の一方に固定され、前記フラップ部又はウォール部の他の一つに備わるボタン穴に導入されるよう設計された締め具を備えた鞄が存在する。締め具の導入は、締め具の一部分を用いる。
【０００４】
上記した型の締め具を備える鞄は、例えば、欧州特許第０８２１８９４号公報で開示される。
【先行技術文献】
【特許文献】
【０００５】
【特許文献１】欧州特許第０８２１８９４号公報
【発明の概要】
【発明が解決しようとする課題】
【０００６】
しかしながら、従来技術から知られる締め具を備えた鞄は、様々な欠点（ｄｒａｗｂａｃｋｓ）によって影響を受ける。
【課題を解決するための手段】
【０００７】
本発明の一の目的は、従来技術の欠点を解決し、同時に、シンプル且つ経済的な方法（ｆａｓｈｉｏｎ）で生産される締め具を備えた、鞄又は革製品のような入れ物を提供することである。
【０００８】
特に、本発明によって解決される技術的課題の一つは、信頼性があり、使用が容易で、あまり大きくない締め具を備えた、鞄又は革製品のような入れ物を提供することに関する。
【０００９】
本発明によれば、これと他の課題は、締め具を備えた、鞄又は革製品のような入れ物の手段によって解決される。ここで、前記入れ物は、付加される独立請求項で説明される特徴を持つ。
【００１０】
付加される請求項は、本発明に関係する下記の詳細な説明で提供される技術的教示に欠くことのできない部分である。特に、付加される従属請求項は、本発明の幾つかの好ましい実施形態を規定し、任意の技術的特徴を記述する。
【００１１】
本発明の更なる特徴と利点は、下記の詳細な説明の熟読に基づき良く理解され得る。下記の詳細な説明は、例を用いて提供され、特に、以下で簡潔に説明される添付図面に関連して制限されない。
【図面の簡単な説明】
【００１２】
【図１】図１は、本発明の一実施形態による、鞄又は革製品のような入れ物に使用されるよう設計された締め具の斜視図である。
【図２】図２ａ−２ｃは、図１で示される締め具によって担われる一連の動作状態を示す側面図である。
【図３】図３は、本発明の更なる実施形態による、鞄又は革製品のような入れ物に使用されるよう設計された締め具の変形例に関する斜視図である。
【図４】図４は、図１、２ａ−２ｃで示される一対の締め具を含む実施形態による、制作された鞄を例とする入れ物の斜視図である。
【図５】図５ａ、５ｂ、５ｃは、図４で示される鞄の側断面における概略図であり、ここで、締め具により担われる一連の動作状態と鞄を確認できる。
【図６】図６は、追加的実施形態による、制作された鞄の部分斜視図である。ここで、前記鞄は、図３に示される型の締め具を備える。
【図７】図７は、図６に示される鞄の部分斜視図であり、別の動作状態でここに描かれる。
【図８】図８は、本発明の他の実施形態による鞄の斜視図である。
【発明を実施するための形態】
【００１３】
特に、図１、２ａ−ｃに関して、全体として番号１は、本発明を説明するための実施形態による、製造された鞄又は革製品のような入れ物のための締め具（又は封緘具（ｃｌｏｓｉｎｇ  ｄｅｖｉｃｅ））を示す。
【００１４】
示される実施形態において、入れ物は、鞄又は革製品である。しかしながら、本特許発明の本質が、物や品物を収容可能な他の製品にも同様に適用されるため、この態様は、本特許発明に指定される保護の範囲を限定するよう考えられるべきではない。
【００１５】
締め具１は、入れ物のフラップ部又はウォール部に固定されるためのアンカー部１０（ａｎｃｈｏｒｉｎｇ  ｐｏｒｔｉｏｎ  １０）を備える。更に、締め具１は、例として、入れ物の他の（もう一方の）フラップ部又はフォール部に備わるボタン穴からの締め具１の離脱を防ぐための飾り板１２（ｐｌａｑｕｅ  １２）のような幅広部を備える。更に、締め具１は、単に例として、第一ヒンジ部２１を介するアンカー部１０と、第二ヒンジ部１２を介する飾り板１２の各々とに回転式に接続される棒部材１４（ｒｏｄ  １４）のような中間接続部を備える。
【００１６】
図２ａ−２ｃに示されるように、アンカー部１０及び飾り板１２は、使用者により、棒部材１４に対して回転されるよう構成され、それゆえ、複数の異なる動作状態で締め具１を動かす。
【００１７】
特に、締め具１は、以下の状態を担える。
すなわち、締め具１は、
飾り板１２及びアンカー部１０が、互いに接近し、棒部材１４に関して向かい側に並置されるコンパクト状態（図２ａ）と、
飾り板１２が、実質的に棒部材１４に対して直線状に並び、それゆえ、締め具１がボタン穴を通って移動することを許容する拡張状態（図２ｂ）と、
アンカー部１０及び飾り板１２が、互いから距離を置いて配置され、すなわち、飾り板１２が、実質的に棒部材１４を横断する方向に配置され、それゆえ、締め具１がボタン穴から外へ移動することを防ぐ終状態（図２ｃ）と、を担う。
【００１８】
従って、飾り板１２は、円盤状又は主に二次元状要素であることが好ましい。
【００１９】
前記ヒンジ部２１、２２の少なくとも一つは、接続部品がヒンジ軸（ｈｉｎｇｉｎｇ  ａｘｉｓ）の周りを回転できるヒンジ制約（ｈｉｎｇｅ  ｃｏｎｓｔｒａｉｎｔ）を作り出す平坦ヒンジである。
【００２０】
好ましくは、ヒンジ部２１、２２は、双方とも平坦ヒンジである。
【００２１】
図１に示される好ましい実施形態に関して、前記平坦ヒンジ２１、２２のヒンジ軸は、互いに平行である。代わりに、例えばそれらが傾斜される場合、前記平坦ヒンジ２１、２２のヒンジ軸は、互いに平行でない。
【００２２】
本発明の更なる（追加的）実施形態（図示しない）によれば、前記ヒンジ部の少なくとも一つは、球形ヒンジである。‘球形ヒンジ’なる用語は、接続部品が三次元式に点の周りの空間で回転できるヒンジ制約を示す。
【００２３】
図１に示される実施形態において、アンカー部１０は、主として二次元のプレート部１６を備える。特に、プレート部１６は、実質的に飾り板１２の一つと相似する（類似する）断面を有する。
【００２４】
好ましくは、単純な理由で図１にのみ示されるように、プレート１６は、多角形構造を形成するために互いに接続される複数の薄板１８に結びつく。プレート１０及び薄板１８は、道具１をカバー付属物（ｃｌｏｔｈｉｎｇ  ａｃｃｅｓｓｏｒｙ）に束縛するのに有益なオープニング部１９（ｏｐｅｎｉｎｇ  １９）を形成する。
【００２５】
示される実施形態において、第一ヒンジ部２１は、棒部材１４の軸端に配置される。
【００２６】
示される実施形態において、第二ヒンジ部２２は、棒部材１４の他の軸端に配置される。
【００２７】
好ましくは、ヒンジ部２１は、例えばプレート１６のように、アンカー部の中間又は中央部に配置される。特に、終状態において、プレート１６は、棒部材１４に対して向かい側で横に拡張される。
【００２８】
好ましくは、ヒンジ部２２は、例えば飾り板１２のように、幅広部の中間又は中央部に配置される。特に、終状態において、飾り板１２は、棒部材１４に対して向かい側で横に拡張される。
【００２９】
図２ａ−ｃに関して、下文で締め具１の動作の説明を理解するであろう。
【００３０】
図２ａにおいて、締め具１は、コンパクト状態、又はプレート１２がアンカー部１０から最小距離にある停止状態（ｒｅｓｔ  ｃｏｎｄｉｔｉｏｎ）にある。飾り板１２及びプレート１６は、互いに平行であり、棒部材１４とも平行である。道具が鞄のフラップ部又はウォール部に備わるボタン穴に係合されない際、この配置は、道具の小型化（コンパクト化）を許容する。
【００３１】
図で確認できるように、中間接続部は棒部材１４であることが好ましく、又は特に直線形状において、とにかく長手方向に発展する（ｄｅｖｅｌｏｐ）。
【００３２】
アンカー部１０に対する棒部材１４の回転によって（例では９０°）、締め具１は、拡張状態、又は図２ｂに示される、飾り板１２及び接続要素１４が互いに平行にある差込状態（ｉｎｓｅｒｔｉｏｎ  ｃｏｎｄｉｔｉｏｎ）に到達する。この配置における締め具１は、鞄に備わるボタン穴に容易に導入され得る、又はボタン穴から容易に取り外され得る。
【００３３】
飾り板１２（及び棒部材１４の一部）が、ボタン穴に差し込まれた後、使用者は、棒部材１４に対して飾り板１２を回転させ（例では９０°）、それゆえ、道具が図２ｃに示される終状態に到達することを引き起こす。この配置において、締め具１が鞄に備わるボタン穴から離脱することを防止するため、飾り板１２は、棒部材１４に対して回転される（例では、それらは実質的に垂直である。）。
【００３４】
好ましくは、平坦ヒンジ２１及び／又は２２の少なくとも一つは、棒部材１４、及びアンカー部１０と飾り板１２の少なくとも一つとの各々の間で、所定の相互角度配置（ｐｒｅｄｅｆｉｎｅｄ  ｍｕｔｕａｌ  ａｎｇｕｌａｒ  ｐｏｓｉｔｉｏｎ）を保つため、カム輪郭（ｃａｍ  ｐｒｏｆｉｌｅ）を有する。前記ヒンジ部によって接続される要素が、所定の相互角度配置にある際、カムは、ヒンジ部２１、２２周りの回転に大きな抵抗を提供するよう構成され、その結果、これらの要素が、前記所定の配置により堅く保持され得る。更に、カムは、接続要素の様々な相互角度配置で大きな抵抗を提供するよう作成され得る。
【００３５】
仮に、カム輪郭が、第一ヒンジ２１上に得られる場合、前記接続要素は、棒部材１４及びアンカー部１０である。他方で、仮に、カム輪郭が、第二ヒンジ２２上に得られる場合、前記接続要素は、棒部材１４及び飾り板１２である。
【００３６】
ヒンジ部２１、２２の双方が、カム輪郭を有すると都合が良い。好ましくは、ヒンジ部２１、２２のカム輪郭は、図２ａ−ｃに示される三つの動作状態で締め具１をより堅く保持するため製造される。
【００３７】
図３は、締め具１の更なる変形例を示す。ここで、同じ数字上の参照は、先の図で示される実施形態に関して説明された要素や部品と同様のものに対応する。なぜなら、これら要素や部品の参照が、上記説明でされているからである。
【００３８】
この実施形態において、締め具１は、単に例で示す、前述された幅広部に対して向かい側に配置される追加的飾り板３２のような追加的幅広部を備える。従って、追加的飾り板３２は、前記道具が入れ物に備わる他のボタン穴から離脱することを防ぐよう設計される。更に、締め具１は、単に例で示す、第三ヒンジ部２３を介するアンカー部１０及び第四ヒンジ部２４を介するアンカー部１０の各々に枢着される（ｈｉｎｇｅｄ  ｔｏ）追加的棒部材３４のような追加的中間接続部を備える。
【００３９】
アンカー部１０、第二飾り板３２、及び第二棒部材３４は、アンカー部１０、飾り板１２、及び棒部材１４の前述した同じ動作状態（ただし、向かい側（反対側）で）に移動できる。
【００４０】
好ましくは、必ずしもそうではないが（ｔｈｏｕｇｈ  ｎｏｔ  ｎｅｃｅｓｓａｒｉｌｙ）、アンカー部１０の向かい側に配置される前記要素は、同じ形状であるだけでなく同じ特徴を有する。従って、前記道具は、アンカー部１０に対して実質的に対称である。
【００４１】
好ましくは、ヒンジ部２３、２４は、平坦である。より好ましくは、全てのヒンジ部２１、２２、２３、２４は、平坦ヒンジである。特に図３に関連して、平坦ヒンジ２１、２２、２３、２４の全ての回転軸は、互いに平行である。
【００４２】
従って、特に、鞄の三つの隣接フラップ部又はウォール部を互いに近づくよう移動させる必要がある際、この締め具１に関する第二実施形態は、便利な状態となる。より詳しくは、アンカー部１０が中央フラップ部又はウォール部に固定される際、飾り板１２及び３２の各々が、中央フラップ部又はウォール部に対して向かい側に配置されるフラップ部又はウォール部を備えるそれぞれのボタン穴に接近できる。この方法において、唯一の締め具１は、二つの相対する側（ｏｎ  ｏｐｐｏｓｉｔｅ  ｓｉｄｅｓ）で二重の閉鎖（ｄｏｕｂｌｅ  ｃｌｏｓｉｎｇ）を保証し、それゆえ、一対のフラップ部又はウォール部がより近づく（閉じる）ことをもたらす。
【００４３】
図４は、鞄４０のような入れ物の例を示す。下記により詳しく説明するように、鞄４０は、図１及び図２ａ−ｃによる、製造された一対の締め具を備える。
【００４４】
この実施形態において、鞄４０は、背方フラップ部又はウォール部４２、中央フラップ部又はウォール部４４（‘パーティション’とも呼ばれる。）、及び前方フラップ部又はウォール部５０を有する。特に、背方フラップ部又はウォール部４２及び前方フラップ部又はウォール部５０は、その底部で鞄の底に接合され、及びその側部で一対の側方ウォール部に接合される（これらの詳細は、図で番号付けされない。）。更に、示される実施形態において、中央フラップ部又はウォール部４４に固定される取っ手５６が存在する。
【００４５】
好ましくは、中央フラップ部又はウォール部４４は、鞄４０の内部を、背方フラップ部又はウォール部４２付近の一方側と前方フラップ部又はウォール部５０付近の他方側とに互いから分けられて区切られた二つの区画に分割する。
【００４６】
特に、鞄４０は、鞄４０の背方フラップ部又はウォール部４２に結びつく一の締め具１ｒ、中央フラップ部又はウォール部４４（セパレータ又は‘パーティション’とも呼ばれる。）に同様にして結びつく追加的締め具１ｓを備える。締め具１ｒは、中央フラップ部又はウォール部４４に備わる第一ボタン穴４６への係合に適する。これに対して一方で、締め具１ｓは、前方ウォール部又はフラップ部５０に備わる第二ボタン穴４８への係合に適する。
【００４７】
言い換えれば、特に示される例に関して、
鞄４０は、
一対の端フラップ部又はウォール部（４２、５０）、
中間フラップ部（４４）、
前記中間フラップ部（４４）に備わる穴（４６）を通って移動するために、前記アンカー部１０は、端フラップ部又はウォール部（４２）に固定され、前記幅広部（１２）は、前記中間フラップ部（４４）に対面する請求項１から５のいずれかによる第一締め具（１ｒ）、
及び
他の端フラップ部又はウォール部（５０）に備わる穴（４８）を通って移動するために、前記アンカー部（１０）は、前記中間フラップ部（４４）に固定され、前記幅広部（１２）は、他の端フラップ部又はウォール部（５０）に対面する請求項１から５のいずれかによる第二締め具（１ｓ）、
を備える。
【００４８】
図５ａは、図４に示される鞄４０の側断面を示す。この図において、締め具１ｒ及び１ｓは、各々コンパクト状態又は停止状態にある。従って、中央フラップ部又はウォール部４４の側面で規定される二つの区画は、開いており、結果として鞄４０に物を導入する又は鞄４０から物を取り出す使用者によって利用可能となっている。
【００４９】
図５ｂは、図４に示される鞄４０の側断面を示す。この図において、締め具１ｒ及び１ｓは、拡張状態又は差込状態にあり、それゆえ、それらは、各々ボタン穴４６、４８にいつでも差し込まれる状態となっている。
【００５０】
図５ｃは、図４に示される鞄４０の側断面を示し、ここで、飾り板１２及び棒部材１４の各々が、ボタン穴４６、４８の各々に差し込まれた後、締め具１ｒ及び１ｓは、終状態にある。従って、鞄の区画は、前記締め具１ｒ、１ｓの手段によって、より近づくよう引き付けられて閉じた状態を保持する、又は並置される。
【００５１】
図６及び７は、図３に示される締め具のように設計された締め具１を備えた、鞄４０の追加的実施形態を示す。
【００５２】
この実施形態において、やはり、鞄４０の構造は、前方フラップ部又はウォール部５１、及び前方フラップ部又はウォール部５１に重なり得るか（図６）又は後者（背方フラップ部又はウォール部）から上昇され得る（図７）ウィング部５２（ｗｉｎｇ）と一体となって終端する背方フラップ部又はウォール部（番号付されていない）を備える。
【００５３】
この実施形態において、取っ手は、鞄４０の側壁に固定される（番号付されない細部）。
【００５４】
締め具１は、前方フラップ部又はウォール部５１に結びつき、その結果、飾り板１２及び棒部材１４が、鞄４０の外側を向くと共に、飾り板３２及び棒部材３４が、ウィング部５２を支える背方フラップ部又はウォール部を向く。より詳細には、後者（ウィング部５２）が前方フラップ部又はウォール部５１に重なった際、飾り板１２及び棒部材１４は、ウィング部５２に備わるボタン穴５４への係合に適する。一方で、飾り板３２及び棒部材３４は、ウィング部５２に対して近接（ｐｒｏｘｉｍａｌ  ｐｏｓｉｔｉｏｎ）するフラップ部又はウォール部の一部分に配置されたボタン穴（番号付されず）への係合に適する。
【００５５】
この実施形態は、‘両面（ｄｏｕｂｌｅ  ｆａｃｅ）’又はリバーシブル鞄の製造に使用される。実際のところ、仮に使用者が鞄４０をひっくり返した場合（裏返した場合）、飾り板３２及び棒部材３４は、このとき、ボタン穴５４への差し込みに適する。
【００５６】
当業者は、‘両面’鞄の使用に関し明確に理解できるように、図３に示される締め具は、必要であれば、例えば、鞄から取り外し可能な中央フラップ部又はウォール部を有する鞄（この場合において、アンカー部は、中央フラップ部又はウォール部に固定され、ボタン穴は他のフラップ部又はウォール部に備えられる。）、又は前方フラップ部又はウォール部及び背方フラップ部又はウォール部のみを有する鞄（この場合において、前記二つのフラップ部又はウォール部の一つは、アンカー部を支える一方で、他のフラップ部又はウォール部は、締め具によって一方の側から他方の側へ掛け渡されるのに適する単一のボタン穴を支える。これは鞄の向き方（ｈｏｗ  ｔｈｅ  ｂａｇ  ｉｓ  ｔｕｒｎｅｄ）に依存する。）のような、ウィング部５２のない鞄にも適用され得る。
【００５７】
図８は、図１及び図２ａ−ｃに従って設計される締め具１を備える鞄４０の追加的説明用の実施形態を示す。
【００５８】
この実施形態において、鞄４０は、締め具１によって係合されるのに適する一つ以上のボタン穴６０を有するベルト５８を支える背方フラップ部又はウォール部４２を備える。特に、締め具１は、鞄４０の前方フラップ部又はウォール部５０に固定され、棒部材１４及び飾り板１２を伴ない鞄４０の外側に向かって突出する。好都合なことに、ベルト５８は、背方フラップ部又はウォール部４２の外側又は内側表面に縫い付けられる。任意には、ベルト５８は、締め具１により係合され得る前の前方フラップ部又はウォール部に設置されたオープニング部６６を通過する。
【００５９】
もちろん、説明された本発明の原理、実施形態及び詳細な実装は、添付のクレームによって提供される保護範囲を超えることなく、単に非制限例として、上記説明されたこと及び図面で示されたことに関して幅広く変更可能である。
【図１】
0006757722.tif 000002
【図２ａ】
0006757722.tif 000003
【図２ｂ】
0006757722.tif 000004
【図２ｃ】
0006757722.tif 000005
【図３】
0006757722.tif 000006
【図４】
0006757722.tif 000007
【図５ａ】
0006757722.tif 000008
【図５ｂ】
0006757722.tif 000009
【図５ｃ】
0006757722.tif 000010
【図６】
0006757722.tif 000011
【図７】
0006757722.tif 000012
【図８】
0006757722.tif 000013